(57)【要約】【課題】  デジタルテレビ受像機に標準で装備されている通信仕様やデータ放送の機能を用いる事により、特別な機器の追加を必要とせずに、利用者の健康状態の情報を収集し、その利用者の健康状態の情報を遠隔地にいる契約者に提供するサービスと、使用者への個別情報サービスを可能にする事を課題とする。【解決手段】放送局からデータ放送処理装置６で健康状態を把握する為のデータ放送を放送し、対象家庭のデジタルテレビ受像機３でそのデータ放送を受信する。利用者は、テレビリモコン５を操作しデータ放送の質問に答え、その回答データは通信ネットワークを介し収集され、分析された後に健康状態情報として連絡先家族である契約者に電子メールなどで伝えられる。【選択図】  図１
2005080270.tif 000002
【特許請求の範囲】
【請求項１】
デジタルテレビのデータ放送による健康状態を把握する為の質問に対して利用者が回答したデータを電話回線やインターネット網により集約する通信処理と、受け取ったデータを集計し身体の変化を分析するデータ処理と、その処理された情報を電子メールなどで契約者に伝える為の処理と利用者のデジタルテレビ受像機にデータ放送を通して個別情報を送り出す処理を備えた事を特徴とする健康状態情報提供システム。
【発明の詳細な説明】
【技術分野】
【０００１】本発明は、デジタルテレビのデータ放送と双方向機能を用いて、健康状態の情報を集約し、その情報を集計分析処理し、指定された場所へ提供する為の健康状態情報提供システムに関するものである。
【背景技術】
【０００２】従来、高齢者や障害者が一人暮らしをしている場合、家族をはじめとする身内は、毎日の健康を危惧し、その健康状態を知る為には電話での確認や実際に住まいを訪問する必要があり、それを頻繁に行なう事は双方にとっても負担であり困難な事であった。【０００３】これまでに、安否確認や身体のデータを収集する様々なシステムが考案されて来たが、それらのほとんどは、特殊な機器を用いるものであった。また、多くのシステムは、一方的にデータの収集を行なうものであった。（例えば、特許文献１参照。）デジタルテレビを用いたものがあるが、利用者の操作を記録し、異常の判断と通信を行なわせる特殊な処理ステップを事前にデジタルテレビ受像機に組み込み備えるものであった。（例えば、特許文献２参照。）
［特許文献１  特開２０００−２９３７７４公報］
［特許文献２  特開２００２−３１４７１４公報］
【発明の開示】
【発明が解決しようとする課題】
【０００４】本発明は、デジタルテレビ受像機に標準で装備されている電話回線やＥｔｈｅｒｎｅｔに対応したＬＡＮ端子を使った通信や、データ放送などのプログラムを処理する機能を用いる事により、特別な機器の追加を必要とせず、健康状態の把握が出来るようにする事にある。また、高齢者や障害を持ちながら一人暮らしを行なう利用者の健康状態をデータ放送・双方向機能を用いて収集し、その利用者の健康状態の情報を遠隔地にいる契約者に提供するサービスを実施するとともに、一方的なデータ収集でなく使用者への個別情報サービスも可能にする事にある。
【課題を解決するための手段】
【０００５】デジタルテレビのデータ放送による健康状態を把握する為の質問に対して、利用者が回答したデータを電話回線やインターネット網を使った通信により集約する装置と、受け取ったデータを集計し身体の変化を分析するデータ処理装置と、その処理された情報を契約者に伝える為の通信処理と利用者のデジタルテレビ受像機に個別情報をデータ放送を通して送り出す処理を備えた事を特徴とする健康状態情報提供システムである。【０００６】本発明では、前記課題を解決する為に、地上波や衛星を利用したデジタル放送におけるデータ放送の記述言語ＢＭＬ（Ｂｒｏａｄｃａｓｔ  Ｍａｒｋｕｐ  Ｌａｎｇｕａｇｅ）を用いて、健康管理に関する情報収集を行なうデータ放送画面と処理プログラムを作成する。放送局から本サービスを行なう為のそれらのデータを送出し、デジタルテレビのＢ−ＣＡＳ（ＢＳ−Ｃｏｎｄｉｔｉｏｎａｌ  Ａｃｃｅｓｓ  Ｓｙｓｔｅｍ）により本サービスを契約する利用者を特定し、受信させる。利用者は、テレビ利用開始時に、本発明のサービスを行なうデジタルテレビのデータ放送を選択受信する。受信は、テレビリモコンのプリセットボタンを利用したり、契約されているデジタルテレビ受像機のＢ−ＣＡＳカードの情報を元に自動で受信させる事も出来る。健康状態を把握する選択形式を取った質問画面の表示に従って、テレビリモコンの色ボタン等による簡易操作で回答を行なう。質問内容は、毎日変える事により、ある期間での回答の蓄積結果から、健康状態を把握する。前回の回答内容を元に、それに合わせ質問内容を変える事で、心配される状態をより明確に把握する事が出来る。【０００７】更に、契約されている利用者には、番組の視聴を確認する為のデータ放送を受信させる事で、テレビ番組の視聴状況を収集する。簡単なテレビリモコンボタン操作で視聴確認に回答する。好みのテレビ番組の定期的視聴や利用時間の変化を分析する事で、規則的に使われるので生活のパターンを把握できる。利用者の操作に対し、番組情報などを提供する等のメリットを与える仕組みにより、操作する習慣を無理なく作る事が出来る。【０００８】利用者の回答データは、データ処理センターに送られる。データ処理センターでは、健康に関する質問の回答結果とテレビの視聴状況を集計分析し、遠隔地で暮らす身内などの契約者に、それらの情報を電子メールなどで伝える。ホームページから確認するサービスも行う事が出来る。定期的に収集された健康状態の変化をみる事で、詳しい分析が行なえる。それをもとに、食事のアドバイスなどの有効な個別情報を提供する事も出来る。個別情報を提供する際には、利用者の個人名を表示した呼びかけ文章を表示する事で、自分の為の情報である事をより意識させる事が出来る。また、データ放送によるクイズやゲーム要素を組み入れ、頭と指の運動を行なわせるコンテンツなどを利用して、楽しみながらの訓練が出来、その結果の集約により、身体の変化を知る目安の１つとする事も出来る。緊急時には、必要によりユーザー情報を元に直接地域の介護会社などへデータを送る事も可能である。【０００９】更に、ＩＤ、パスワードで管理された契約者からの電子メールのメッセージを処理センターで受け取り、そのメッセージ���データ放送で送り出し、Ｂ−ＣＡＳの情報を用いて利用者のデジタルテレビ受像機を特定し、該当するデジタルテレビ受像機の画面に表示させる事で、パソコンなどにスキルのない高齢者にも電子メールのメッセージを伝達する個別情報サービスを行なう事も可能である。【００１０】尚、今後Ｂ−ＣＡＳが新しいＣＡＳへ変更になった場合にも、本システムは同様に処理出来るものである。
【発明の効果】
【００１１】以上の如く、本発明による健康状態情報提供システムを使用すれば、双方向機能により毎日の健康状態の把握が容易に行え、遠隔地での健康情報の管理と入手が可能となる。また、通常に市販されているデジタルテレビ受像機を用いる為、特別な機器を用意する必要がない。その上、行なう事はテレビリモコンの操作のみであり、利用者の特別な訓練が不要であり、導入が容易である。それによって、高齢者などが、テレビを使って自身の健康情報や自分への電子メールのメッセージを容易に確認する事が出来、国家プロジェクトであるｅ−Ｊａｐａｎ重要計画にも沿うものである。
【発明を実施するための最良の形態】
【００１２】以下、図面を用いて本発明の実施形態を説明する。
【実施例】
【００１３】図１は、本発明によるデータ放送を用いた健康状態情報提供システムの構成・処理過程を模式的に示した説明図である。データ処理センターにて、健康状態サービスを行なう画面と処理プログラムをデータ放送用データとして作成する。放送局では、そのデータをもとにデータ放送処理装置６で健康状態を把握する為のデータ放送を放送する。デジタルテレビ受像機３では、Ｂ−ＣＡＳカード４の情報から対象家庭を判断し、その健康状態の確認を行なうデータ放送を受信する。利用者は、テレビリモコン５を操作し、データ放送の質問に答える。回答データは、通信ネットワークを介して、データ処理センターに送られ通信処理装置７を通り集約された回答データは分析された後、健康状態情報として連絡先家族である契約者に電子メールなどで伝えられる。以上のような一連の処理と管理をソフトウェア的に行なう事で、システム化する事が出来る。
【図面の簡単な説明】
【００１４】
【図１】本発明によるデータ放送を用いた健康状態情報提供システムの構成・処理過程を模式的に示した説明図である。
【符号の説明】
【００１５】    １  健康状態データ処理装置
２、７  通信処理装置
３  デジタルテレビ受像機
４  Ｂ−ＣＡＳカード
５  テレビリモコン
６  データ放送処理装置
【図１】
2005080270.tif 000003